(57)【要約】 【課題】  簡単な構造で搬送ベルトの逆転を防止することができる遊技媒体搬送装置を提供する。【解決手段】  搬送ベルト５の裏面側に、搬送ベルト５との間に小隙間８を残してガイド板９を配設し、その小隙間８に、搬送ベルト５の裏面とガイド板９の表面に摺接する板状の逆転防止部材１１を介装する。ガイド板９には搬送方向に伸びる長孔１２を設け、逆転防止部材１１には長孔１２に遊嵌される突起１３を設けて、逆転防止部材１１を上下方向に移動可能とする。遊技媒体搬送中の搬送ベルト５が停止したときには、逆転防止部材１１が下方に移動して回転軸２と搬送ベルト５との間に挟み込まれるので、逆転防止部材１１の摩擦抵抗により搬送ベルト５の逆転を制止することができる。【選択図】    図１
2006198167.tif 000002
【特許請求の範囲】
【請求項１】
搬送用リブを設けた搬送ベルトを一対の回転軸に架け渡して、該回転軸を駆動装置により回転させることにより、遊技媒体を垂直上方もしくは斜め上方に搬送する遊技媒体搬送装置において、搬送ベルトの裏面側に、搬送ベルトとの間に小隙間を残してガイド板を設けたうえに、その小隙間に搬送ベルトの裏面とガイド板の表面に摺接する板状の逆転防止部材を、上下方向に移動自在にして介装して、当該逆転防止部材を、遊技媒体搬送装置の作動中は搬送ベルトの移動とともに搬送方向に移動させ、遊技媒体搬送装置の停止時には後退させ搬送ベルトと回転軸との間に挟み込ませて、搬送ベルトの逆方向への回転を制止するようにしたことを特徴とする遊技媒体搬送装置。
【請求項２】
ガイド板に搬送方向に伸びる長孔を設け、逆転防止部材の裏面には突起を設けて、この突起を前記長孔に遊嵌することにより、逆転防止部材の搬送方向への移動を規制するようにしたことを特徴とする請求項１に記載に遊技媒体搬送装置。
【請求項３】
ガイド板の表面で逆転防止部材の上方に突部を設けて、逆転防止部材の搬送方向への移動を規制するようにしたことを特徴とする請求項１に記載に遊技媒体搬送装置。
【発明の詳細な説明】
【技術分野】
【０００１】
本発明は、パチンコ球やメダルなどの遊技媒体を垂直上方もしくは斜め上方に搬送するための遊技媒体搬送装置の改良に関するものである。
【背景技術】
【０００２】
パチンコ球やメダル等の遊技媒体を垂直上方もしくは斜め上方に搬送する装置として、特許文献１に開示されているような、搬送ベルトに搬送用リブを設けたものが知られている。しかし、このような搬送ベルトを用いた搬送装置においては、搬送装置が停止したときに、遊技媒体の重みによって搬送ベルトが搬送方向と逆の方向に回転してしまい、搬送ベルト上の遊技媒体が落下して搬送装置内に飛散する。また、飛散した遊技媒体が詰まったりして搬送装置を再起動したときに円滑に作動せず搬送トラブルを引き起こすという問題があった。
【特許文献１】特開２００１−８７５３１号公報  (図１)
【発明の開示】
【発明が解決しようとする課題】
【０００３】
本発明は上記した従来の問題点を解決して、簡単な構造で搬送ベルトの逆転を防止することができる遊技媒体搬送装置を提供することを課題とする。
【課題を解決するための手段】
【０００４】
上記の課題を解決するためになされた本発明は、搬送用リブを設けた搬送ベルトを一対の回転軸に架け渡して、該回転軸を駆動装置により回転させることにより、遊技媒体を垂直上方もしくは斜め上方に搬送する遊技媒体搬送装置において、搬送ベルトの裏面側に、搬送ベルトとの間に小隙間を残してガイド板を設けたうえに、その小隙間に搬送ベルトの裏面とガイド板の表面に摺接する板状の逆転防止部材を、上下方向に移動自在にして介装して、当該逆転防止部材を、遊技媒体搬送装置の作動中は搬送ベルトの移動とともに搬送方向に移動させ、遊技媒体搬送装置の停止時には後退させ搬送ベルトと回転軸との間に挟み込ませて、搬送ベルトの逆方向への回転を制止するようにしたことを特徴とする遊技媒体搬送装置である。
【０００５】
上記遊技媒体搬送装置において、ガイド板に搬送方向に伸びる長孔を設け、逆転防止部材の裏面には突起を設けて、この突起を前記長孔に遊嵌することにより、逆転防止部材の搬送方向への移動を規制することができ、また、ガイド板の表面で逆転防止部材の上方に突部を設けて、逆転防止部材の搬送方向への移動を規制することもできる。
【発明の効果】
【０００６】
本発明の遊技媒体搬送装置は、搬送装置が停止して搬送ベルトが遊技媒体の重量等により逆転した時に、搬送ベルトとガイド板との間に介装した板状の逆転防止部材が摺動されて、或いは自重により後退して、回転軸と搬送ベルトとの間に挟みこまれるようにしたので、逆転防止部材の摩擦抵抗により搬送ベルトの逆転を制止することができる。そして、ガイド板に長孔を設け、逆転防止部材の裏面にはこの長孔に遊嵌される突起を設けて、逆転防止部材の搬送方向への移動量を小さく規制したので、逆転防止部材の挟み込みを迅速に行うことができる。また、ガイド板に逆転防止部材が衝突する突部を設けても、この突部により逆転防止部材の搬送方向への移動量を小さく規制することができる。
【発明を実施するための最良の形態】
【０００７】
以下に図面を参照しつつ本発明の好ましい実施形態を説明する。
図１〜４は、本発明に係る第１の実施形態の遊技媒体搬送装置を示す図であって、１は駆動装置であるモータ、２は下側回転軸、３は上側回転軸であって、これら回転軸２、３の間に搬送用リブ４を多数突設した搬送ベルト５が架け渡されている。下側回転軸２はモータ１と歯付きベルト６で接続された駆動軸であって、モータ１により回転軸２が回転されることによって、搬送ベルト５はリブ４上に搬入された遊技媒体７を上方に揚送することができる。
【０００８】
本実施形態の遊技媒体搬送装置においては、搬送ベルト５の裏面側に、搬送ベルト５との間に小隙間８を残してガイド板９が配設されている。このガイド板９は、図２に示すようにボックス形状に形成して配設しやすいものとしてある。前記小隙間８には、搬送ベルト５の裏面とガイド板９の表面に摺接する板状の逆転防止部材１１が介装されており、この逆転防止部材１１は、上下方向、即ち搬送ベルト５の正逆回転方向に移動することができる。そして、ガイド板９には搬送方向に沿って伸びる長孔１２が形成され、逆転防止部材１１には突起１３が設けられ、この突起１３は長孔１２に遊嵌されている。逆転防止部材９は、搬送ベルト５が作動中は、図３、４に示すように搬送ベルト５の移動とともに搬送方向に移動するが、突起１３が長孔１２の上端に当接するので、逆転防止部材９は、更なる上方への移動が規制される。
【０００９】
搬送装置が停止されて遊技媒体７を搬送中の搬送ベルト５が停止した場合には、遊技媒体７の重量により搬送ベルト５が逆転して、遊技媒体７が搬送ベルト５から落ちこぼれることとなる。しかしながら、本発明に係る搬送装置において搬送ベルト５が停止したときには、逆転防止部材１１が自重により降下して、或いは搬送ベルト５の逆転とともに摺動されて、回転軸２と搬送ベルト５との間に挟み込まれるようにしてあるので、逆転防止部材１１の摩擦抵抗により搬送ベルト５の逆転を制止することができる。なお、逆転防止部材１１の下側端部は、先端に向けて板厚を徐々に薄く形成してあるので、搬送ベルト５と回転軸２との間に確実に食い込むことができる。
【００１０】
図５〜８に、第２の実施形態の遊技媒体搬送装置を示す。この実施形態において、搬送装置の構造自体には前記した実施形態のものと特に変わるところはない。即ち、搬送ベルト５の裏面側に、搬送ベルト５との間に小隙間８を残してガイド板９が配設され、その小隙間８に逆転防止部材１１が上下方向に移動自在にして介装されている。そして、ガイド板９の表面で逆転防止部材１１の上方には横方向に伸びる突部１４が設けられているので、逆転防止部材１１が上方に移動した際には、その移動を規制することができる。
【００１１】
逆転防止部材１１の上方への移動量を小さく抑えることによって、搬送ベルト５が停止したときに逆転防止部材１１を素早く搬送ベルト５と回転軸２との間に食い込ませることができる。
したがって、本発明の遊技媒体搬送装置は、搬送ベルト５の逆転を確実に防止して、安定して遊技媒体７を搬送することができるという大きな利点を有する。
【図面の簡単な説明】
【００１２】
【図１】搬送ベルトが停止中である第１の実施形態の遊技媒体搬送装置の正面断面図と要部拡大図である。
【図２】図１に示す遊技媒体搬送装置のガイド板と逆転防止部材を示す斜視図と要部拡大図である。
【図３】搬送ベルトが正転中である第１の実施形態の遊技媒体搬送装置の正面断面図と要部拡大図である。
【図４】図３に示す遊技媒体搬送装置のガイド板と逆転防止部材を示す斜視図と要部拡大図である。
【図５】搬送ベルトが停止中である第２の実施形態の遊技媒体搬送装置の正面断面図と要部拡大図である。
【図６】図５に示す遊技媒体搬送装置のガイド板と逆転防止部材の構造を示す斜視図と要部拡大図である。
【図７】搬送ベルトが正転中である第２の実施形態の遊技媒体搬送装置の正面断面図と要部拡大図である。
【図８】図７に示す遊技媒体搬送装置のガイド板と逆転防止部材を示す斜視図と要部拡大図である。
【符号の説明】
【００１３】
１  モータ、２  下側回転軸、３  上側回転軸、４  搬送用リブ、５  搬送ベルト、６  歯付きベルト、７  遊技媒体、８  小隙間、９  ガイド板、１１ 逆転防止部材、１２  長孔、１３  突起、１４  突部。
【図１】
2006198167.tif 000003
【図２】
2006198167.tif 000004
【図３】
2006198167.tif 000005
【図４】
2006198167.tif 000006
【図５】
2006198167.tif 000007
【図６】
2006198167.tif 000008
【図７】
2006198167.tif 000009
【図８】
2006198167.tif 000010